(57)【要約】【課題】車室内の空間位置にセットできる車室内用着脱自在式トレイを提供する。【解決手段】フロア１及び天井板５間に着脱自在に架設される上側及び下側ポスト１０、１５と、このポストに着脱自在にセットされるトレイ本体２０とを備えている。使用時に、上側及び下側ポスト１０、１５のポスト長を調整して架設し、車室内の空間位置にセットされるようにトレイ本体２０を装着する。これにより、パーティトレイとして或いは打ち合わせ用に使用する。不使用時には、ラッゲッジルーム等に格納する。【選択図】　　　　　図１
2004017667.tif 000002
【特許請求の範囲】
【請求項１】
フロア及び天井板間に着脱自在に架設されるポストと、このポストに着脱自在にセットされるトレイ本体とを備えて、自動車の車室内に装着されることを特徴とする車室内用着脱自在式トレイ。
【請求項２】
トレイ本体に、複数個のカップホルダが形成されたことを特徴とする請求項１記載の車室内用着脱自在式トレイ。
【請求項３】
互いの高さ位置を異にして着脱自在にポストに装着される複数個のトレイ本体を備えたことを特徴とする請求項１又は請求項２記載の車室内用着脱自在式トレイ。
【請求項４】
トレイ本体が、ポストの任意の高さ位置に着脱自在にセットされ得ることを特徴とする請求項１又は請求項２又は請求項３記載の車室内用着脱自在式トレイ。
【請求項５】
ポスト長が、車室内での架設を容易にするように調整可能であることを特徴とする請求項１乃至請求項４のいずれか記載の車室内用着脱自在式トレイ。
【請求項６】
ポスト長の調整範囲に、ラッゲッジルームの両側の側面間の距離が含まれることを特徴とする請求項５記載の車室内用着脱自在式トレイ。
【請求項７】
ポストを荷物掛けとして機能させるように、ラッゲッジルームの両側の側面に、格納時に前記ポストをフロアから浮かせた状態に前記ポストの両端部を支持する受具が設けられていることを特徴とする請求項６記載の車室内用着脱自在式トレイ。
【発明の詳細な説明】
【０００１】
【発明の属する技術分野】
本発明は、自動車の車室内の空間部に着脱自在に装着される車室内用着脱自在式トレイに関するものである。
【０００２】
【従来の技術】
自動車の車室内には、フロアに固定されたり、シートバックの背面に回動式にセットされる等の種々の構造のテーブル或いはトレイが設けられている。
【０００３】
【発明が解決しようとする課題】
しかしながら、停車時に車室内で歓談或いは打合せ等をするために、複数の乗車者が、共通に使用し得るように、空間位置にセットされるようなトレイの類は存在していない。
【０００４】
本発明は、このような点に鑑みて、車室内の空間位置にセットできる車室内用着脱自在式トレイを提供することを目的とする。
【０００５】
【課題を解決するための手段】
本発明は、この目的を達成するために、請求項１により、フロア及び天井板間に着脱自在に架設されるポストと、このポストに着脱自在にセットされるトレイ本体とを備えて、自動車の車室内に装着されることを特徴とする。
【０００６】
使用時に、フロア及びルーフ間にポストを架設して、このポストにトレイ本体を装着することにより、トレイ本体は車室内の空間位置にセットされる。不使用時には、ラッゲッジルーム等に格納する。その際、必要により、トレイ本体はポストから外すことができる。
【０００７】
【発明の実施の形態】
図１乃至図３を基に本発明の実施の形態の一例による車室内用着脱自在式トレイを説明する。このトレイは、ロックねじ１３ａ付のロック具１３を下端に備えたパイプ状の上側ポスト１５と、この上側ポストに挿入されるパイプ状の下側ポスト１０と、裏面に面ファスナが取付けらてフロア１にセットされ、かつ下側ポスト１０の下端部分が嵌入される受け穴１１ａを備えたポスト固定具１１と、両側にカップホルダ２３が凹状に形成されている円板状トレイ本体２０と、上側ポスト１５に外挿されて任意の高さ位置にロックねじ１８でロックされ、かつトレイ本体２０を着脱自在に装着させる筒状のトレイ取付け具１７とより構成されている。ロックねじ１３ａは、上側ポスト１５の周壁を通してねじ込まれることにより、下側ポスト１０の周壁に圧着して上側ポスト１５の高さ位置をロックする。
【０００８】
天井板５における両側のフロントシート３間に配置されるコンソルボックス４及びリヤシート２間の中間位置の上方部分には、上側ポスト１５の上端部分が嵌入される受け穴２６を備えたポスト固定具２７がねじ止めされている。トレイ本体２０には、図２に示すように、トレイ取付け具１７の上部のねじ山部１７ａの外径に相当する横幅で半径方向に中心部まで切込まれた切込み部２１が形成されている。この切込み部が、その周辺部がトレイ取付け具１７に着座させられた状態で、トレイ本体２０がねじ山部１７ａに螺合するロックねじ１９で上方から締付けられる。
【０００９】
一方、リヤシート２の背後に位置するラッゲッジルーム６の両側の側面部８には、上側ポスト１５及び下側ポスト１０の外径に対応した半円状の受け部２８ａを備えたポスト支持具２８が設けられている。また、上側ポスト１５及び下側ポスト１０の長さは、その挿入状態でのスライド操作により側面部８間の距離よりも僅かに長い範囲まで調整可能に設定されている。
【００１０】
このように構成された車室内用着脱自在式トレイの動作は次の通りである。格納時には、ポスト固定具１１及びトレイ本体２０を外した状態で、ポスト１０、１５の長さを、ラッゲッジルーム６の両側の側面部８間の距離に対応して設定して、図３に示すように、上側ポスト１５及び下側ポスト１０の外端部をポスト支持具２８にセットし、さらにロックねじ１３ａのねじ込みにより上側ポスト１５を下側ポスト１０にロックする。これらのポスト１５、１０には、荷物、買い物袋等を吊るすためのフック９を必要により引っ掛けることができる。
【００１１】
車室内での使用に際しては、図１に示すように、コンソルボックス４及びリヤシート２間の中間領域のフロア１に、ポスト固定具１１をセットして下側ポスト１０を挿入し、このポストを内挿させた上側ポスト１５を上方へスライドさせて、その先端部をポスト固定具２７に挿入した状態で、ロック具１３のロックねじ１３ａで上側ポスト１５の高さ位置をロックし、フロア１及びルーフ間にポスト１０、１５を架設する。
【００１２】
トレイ取付け具１７を、その高さ位置を調整してロックねじ１８でロックし、そのねじ山部１７ａにトレイ本体２０の切込み部２１を挿入させて着座させ、ロックねじ１９でロックする。これにより、リヤシート２の乗車者同士或いはフロントシート３の乗車者とで、カップホルダ２３に飲み物をセットしたり、トレイ本体２０に菓子類或いは資料等を置いて、トレイ本体２０を中心に歓談或いは打合わせをする。
【００１３】
尚、トレイ取付け具１７を複数個付設しておくことにより、トレイ本体２０を複数段に装着することもできる。また、トレイ本体２０は、切込み部を設けることなく、上側ポスト１５を挿通させる中心孔を設けて、その裏面にねじ式ロック具を付設することにより、任意の高さ位置に装着可能にすることもできる。車室構造によっては、フロアとしてのコンソルボックスの上面及び天井板間に架設することもできる。
【００１４】
図４は、別の実施の形態による長さ調整機構を示すもので、上側ポスト３５の上端部には天井板５に着座するカップ状座部３６が取付けられ、天井板５のポスト固定具は廃止されている。一方、下側ポスト３０の上端部には、上側ポスト３５の下端部の内周壁にねじ込まれるねじ山３１が形成されると共に、下端部にはポスト固定具３８のねじ穴３７ａにねじ込まれるねじ山３２が形成されている。また、上下のねじ山３１、３２には、ロックナット３３、３４がそれぞれ螺合される。これらの上下のねじ山３１、３２は、逆ねじ作用を生じるように形成されている。
【００１５】
これにより、下側ポスト３０を一方の方向へ回転させると、その上昇と共に、上側ポスト３５も下側ポスト３０に対して上昇し、座部３６を天井板５に圧接させてフロア１間で突張り状態で架設される。ロックナット３３、３４で調整位置をロックする。ポスト３０、３５を外す場合には、下側ポスト３０を逆回転させると、その下降と共に、上側ポスト３５も下側ポスト３０に対して下降する。
【００１６】
格納は、単にラッゲッジルーム６内に搭載しておいても良いが、ねじ山３１、３２の範囲を、ポスト長の調整範囲に、ラッゲッジルームの両側の側面間の距離が含まれるように構成しておくことにより、ポスト支持具を設けることなく、回転式に側面部間に突張り状態で架設することもできる。
【００１７】
本発明の着脱自在式トレイは、スリーシート車両、ワゴン車、ＲＶ車等の車室内にセットされるように、専用に構成することもできる。また、ポスト長の調整範囲及びポスト端部の構造を種々の車種に適用可能に構成することにより、汎用の着脱自在式トレイとして構成することも可能である。ポストの架設構造によっては、ポスト長が固定であったり、或いはポストを折畳み式に構成して、伸ばした状態で突張り状態で架設することもできる。
【００１８】
【発明の効果】
請求項１の発明によれば、車室内の空間位置にトレイが任意にセットされ、特に停車時にトレイを囲んで打合せをしたり或いはパーティトレイとして使用される。種々の車種に汎用の着脱自在式トレイも実現可能である。請求項２の発明によれば、空間部を利用した充分な面積のトレイ本体に、複数個のカップホルダが構成される。請求項３の発明によれば、縦方向に延在するポストを利用してトレイを複数段に構成できる。請求項４の発明によれば、空間部に立設されたポストを利用して、トレイ本体を任意の高さ位置に装着させることができる。請求項５の発明によれば、ポスト長が調整可能であることにより、車室内への搬入、架設作業、或いは格納も容易にすることができる。
【００１９】
請求項６の発明によれば、ポストをラッゲッジルーム内に横断方向へ架設することにより、物掛けとして利用可能となる。その際、請求項７の発明によれば、ラッゲッジルーム内でのポストの横断架設が容易となる。
【図面の簡単な説明】
【図１】本発明の実施の形態による車室内用着脱自在式トレイの斜視図である。
【図２】同トレイのポストへのトレイ本体の装着状態を示す断面図である。
【図３】同トレイの格納状態を示す斜視図である。
【図４】別の実施の形態によるトレイの長さ調整機構付ポストを示す斜視図である。
【符号の説明】
１　フロア
５　天井板
６　ラッゲッジルーム
１０、３０　下側ポスト
１１、２７、３８　ポスト固定具
１５、３５　上側ポスト
１７　トレイ取付け具
２０　トレイ本体
２３　カップホルダ
２８　ポスト支持具
【図１】
2004017667.tif 000003
【図２】
2004017667.tif 000004
【図３】
2004017667.tif 000005
【図４】
2004017667.tif 000006